(57)【要約】【課題】握り心地を良くするとともに、長期間使用しても使用者の手のひらが痛くならないウォーキングステッキを提供することを目的とする。【解決手段】ウォーキングステッキ１のグリップ３は、シャフト２の先端が挿入される係合部８が形成された筒状のグリップ本体部１０と、グリップ本体部１０の表面の一部を被覆するように、グリップ本体部に装着された把持接触部２０と、グリップ本体部１０と把持接触部２０との間に配置された変形可能な弾性部３０と、を有している。【選択図】図３
2019058373.tif 000002
【特許請求の範囲】
【請求項１】
折り畳み又は伸縮可能な長尺のシャフトと、前記シャフトの上端部に取り付けられたグリップと、を備えたウォーキングステッキにおいて、
前記グリップは、
前記シャフトの先端が挿入される係合部が形成された筒状のグリップ本体部と、
前記グリップ本体部の表面の一部を被覆するように、前記グリップ本体部に装着された把持接触部と、
前記グリップ本体部と前記把持接触部との間に配置された変形可能な弾性部と、を有する
ウォーキングステッキ。
【請求項２】
前記把持接触部は、前記弾性部よりも硬度の高い材料で構成されている
請求項１に記載のウォーキングステッキ。
【請求項３】
前記グリップの径方向において、前記グリップ本体部の上部に配置された弾性部の厚さが、前記グリップ本体部の下部に配置された弾性部の厚さよりも暑くなるように構成されている
請求項１又は２に記載のウォーキングステッキ。
【請求項４】
前記把持接触部には、前記グリップの長手方向に沿って形成された凹凸部が設けられている
請求項１〜３のいずれか一項に記載のウォーキングステッキ。
【請求項５】
前記グリップの幅方向において、前記把持接触部の長さが前記グリップ本体部の長さよりも長くなるように構成されている
請求項１〜４のいずれか一項に記載のウォーキングステッキ。
【発明の詳細な説明】
【技術分野】
【０００１】
本発明は、例えば歩行補助用として使用されるウォーキングステッキに関する。
【背景技術】
【０００２】
一般に歩行補助用、トレッキング用、介護訓練用として使用されるウォーキングステッキは、シャフトと、シャフトの上端部に取り付けられるグリップとで構成されており、使用者はグリップを手で握り、シャフトの先端で地面を突きながら歩行する。このようなウォーキングステッキは、グリップがプラスチックや木材などの硬質材で形成されているため、長時間使用すると使用者の手のひらが痛くなってしまうことがある。
【０００３】
使用者の手のひらを保護するため、柔軟性を有する材料よりなるソフトパッドをグリップの表面に被せるように装着して握り心地を向上させたウォーキングステッキが知られている（特許文献１）。
【先行技術文献】
【特許文献】
【０００４】
【特許文献１】特開２００７−１３０１６２号公報
【発明の概要】
【発明が解決しようとする課題】
【０００５】
しかしながら、グリップにソフトパッドを被せたウォーキングステッキは、使用者の手のひらが直接ソフトパッドに触れてしまうため、長期間ウォーキングステッキを使用すると、ソフトパットが摩耗劣化して見栄えが悪くなるという問題があった。さらには、ソフトパッドの劣化により、長時間使用すると使用者の手のひらが痛くなるおそれがある。
【０００６】
本発明はかかる点に鑑みてなされたもので、握り心地を良くするとともに、長期間使用しても使用者の手のひらが痛くならないウォーキングステッキを提供することを目的とする。
【課題を解決するための手段】
【０００７】
上記の目的を達成するため本発明のウォーキングステッキは、折り畳み又は伸縮可能な長尺のシャフトと、シャフトの上端部に取り付けられたグリップと、を備える。また、グリップは、シャフトの先端が挿入される係合部が形成された筒状のグリップ本体部と、グリップ本体部の表面の一部を被覆するように、グリップ本体部に装着された把持接触部と、グリップ本体部と把持接触部との間に配置された変形可能な弾性部と、を有している。
【発明の効果】
【０００８】
本発明のウォーキングステッキは、グリップを手のひらで握ったときの使用者の感触が柔らかく、握り心地が良好となる。また、グリップの表面を比較的高硬度の部材で被覆しているので、使用者の手のひらが直接柔軟性を有する部材に触れることがない。このため、長期間ウォーキングステッキを使用しても、柔軟性を有する部材が摩耗により劣化することがないので、見栄えを保つとともに、使用者の手のひらが痛くなることを防止できる。
【図面の簡単な説明】
【０００９】
【図１】本発明の実施形態例にかかるウォーキングステッキの全体図である。
【図２】本発明の実施形態例にかかるウォーキングステッキの主要部の斜視図である。
【図３】図２に示すＡ−Ａ線でグリップを切断した際の断面図である。
【図４】図２に示すＢ−Ｂ線でグリップを切断した際の断面図である。
【発明を実施するための形態】
【００１０】
以下、図面を参照しながら本発明の実施の形態例（以下、本例という。）について詳細に説明する。
【００１１】
図１は、本例のウォーキングステッキの全体図である。
図１に示すように、本例のウォーキングステッキ１は、シャフト２と、このシャフト２の上端部に取り付けられるグリップ３と、を備えている。ここでシャフト２は６５〜１００ｃｍの折り畳み又は伸縮できる長尺の軽金属材やカーボン材等によりなるパイプで構成され、このシャフト２の上端部にグリップ３がＴ字状に取り付けられており、使用者はこのグリップ３を手で握り、シャフト２の先端で地面を突きながら歩行する。
【００１２】
本例のシャフト２は複数段で構成されて折り畳み又は伸縮調整可能となっており、またシャフト２の先端(下端)にはゴム等によりなる滑り止め部材４が取り付けられている。またシャフト２は、その上端部２ａ即ちグリップ３の直下の部分が細い径に形成されている。このシャフト２の上端部２ａは、グリップ３を手で握ったときに指と指の間を通る部分であり、この部分を細い径に形成したことで、使用者はグリップ３を違和感なく握ることができるようになっている。
【００１３】
図２は、本例のウォーキングステッキ１の主要部の斜視図である。
図２に示すように、グリップ３は、グリップ本体部１０と、グリップ本体部１０の上面を覆うように設けられた把持接触部２０と、把持接触部２０の下方に設けられた弾性部３０とを備えている。
【００１４】
グリップ本体部１０は筒状であり、硬度の高いプラスチックや木材などの硬質材で形成されている。
【００１５】
把持接触部２０は、比較的硬度の高いゴム材料で形成された薄皮状のシート部材２１で構成されており、前方端部の一部を除いた上面を覆うようにしてグリップ本体部１０に装着されている。また、把持接触部２０にはグリップ３の長手方向に延びるように形成された複数の凹凸部６が設けられている。
【００１６】
本例のように凹凸部６を設けることにより、使用者の手のひらとグリップ３との摩擦力を大きくすることができるので、使用者がグリップ３を把持してウォーキングステッキ１を使用する際に生じる横方向へのスリップを抑えることができる。
【００１７】
弾性部３０は、硬度の低い変形可能な柔軟性を有する軟材質で構成されており、主にグリップ３のシャフト２が装着されている位置よりも後ろ側の部分を覆うように設けられている。
【００１８】
図３は、図２のＡ−Ａ線で切断した際のグリップ３の縦断面図である。
図３に示すように、グリップ本体部１０には、シャフト２の先端が挿入される係合部である係合孔８が形成されている。係合孔８には、シャフト２の先端に設けられている溝部と係合するためのねじ溝部８ａが形成されている。係合孔８が設けられている位置を基準として、短い部分がグリップ３の前側であり、長い部分がグリップ３の後ろ側である。使用者は、主にグリップ３の後ろ側を手のひらで包み込むように把持して、ウォーキングステッキ１を使用する。
【００１９】
グリップ本体部１０の後ろ側の上部には、弾性部３０としての柔軟性を有する変形可能な弾性部材３１が配置されている。本例の弾性部材３１は、グリップ外層２１よりも低硬度かつ弾性力を発揮するエラストマ材料（ＪＩＳＡ硬度で１０〜３０）で構成されているが、柔軟性を有する材料であればゴム、スポンジ、コルク等を用いてもよい。
【００２０】
本例のように、使用者の体重が主にかかるグリップ３の後ろ側の上部に弾性部材３１を配置することにより、グリップ３を手のひらで握ったときの使用者の感触が柔らかく、握り心地が良好となる。
【００２１】
また、本例では、グリップ３の径方向（シャフト２の軸方向）において、グリップ本体部１０の上部に配置された弾性部材３１の厚さが、グリップ本体部１０の下部に配置された弾性部材３１の厚さよりも厚くなるように構成されている。すなわち、本例は、グリップ３の径を大きくしすぎることなく、効率的に使用者の体重がかかる部分における弾性部材３１の厚さを厚くする。これにより、握り心地を良くするとともに、グリップ本体部１０の径をある程度の大きさに保ち、グリップ３の強度を保持している。
【００２２】
なお、グリップ本体部１０とシート部材２１との間に配置される弾性部材３１は、例えば、内部にグリップ成形用の型空洞が形成されている金型を用い、金型に設けられた注入口を介して金型の内部に樹脂を射出することで形成される。
【００２３】
なお、本例では弾性部材３０の層を主にグリップ３の後ろ側に配置しているが、グリップ３の前側に配置して、グリップ本体部１０の上面全体を覆うようにしてもよい。
【００２４】
シート部材２１は、グリップ本体部１０の外表面の一部及び弾性部材３１を覆うようにして、多色・異材質成形によりグリップ本体部１０に固定されている。
【００２５】
上述したように、本例のウォーキングステッキ１によれば、弾性部材３１を覆うシート部材２１を設けることにより、使用者の手のひらが直接弾性部材３１に触れることがない。このため、長期間ウォーキングステッキを使用しても、弾性部材３１が摩耗により劣化することがない。従って、長期間ウォーキングステッキを使用しても、グリップの見栄えが悪くならず、さらに、使用者の手のひらが痛くなることを防ぐことができる。
【００２６】
また、シート部材２１を色の異なる新しいものに取り替えることで、色のバリエーションを持たせて意匠性を向上させることができる。
【００２７】
また、本例のシート部材２１は、弾性部材３１よりも硬度の高い材料で構成されている。このように、使用者が直接触れる部分をある程度硬くすることにより、柔軟性のある部材に触れるときに生じるいわゆるベタベタ感を無くし、グリップ３の握り心地を向上させることができる。
【００２８】
また、シート部材２１の表面を粗くする加工を行うことで、使用者の手のひらがグリップ３上で滑ることを抑えることができる。
【００２９】
図４は、図２のＢ−Ｂ線で切断した際のグリップ３の横断面図である。
図４に示すように、本例では、グリップ３の短手方向の幅方向において、シート部材２１の長さＬ１がグリップ本体部１０の長さＬ２よりも長くなるように構成されている。これにより、シート部材２１とグリップ本体部１０の境目Ｓにおいて、グリップ３を把持した使用者の指等が材質の硬いグリップ本体部１０の角部等に接触することを防ぎ、握り心地を向上させることができる。
【００３０】
以上、本発明の実施の形態例について説明したが、本発明はこれらの実施形態例に限ることなく、他にも種々の実施形態を採り得るものであることは言うまでもない。
例えば、弾性部材３１をグリップ本体部１０の周囲を取り囲むように配置するようにしてもよい。
【符号の説明】
【００３１】
１…ウォーキングステッキ、２…シャフト、３…グリップ、６…凹凸部、８…係合孔、１０…グリップ本体部、２０…把持接触部、２１…シート部材、３０…弾性部、３１…弾性部材
【図１】
2019058373.tif 000003
【図２】
2019058373.tif 000004
【図３】
2019058373.tif 000005
【図４】
2019058373.tif 000006